(57)【要約】【課題】二重化されたハブに接続された一群のホストにおいて、障害発生箇所を限定することができる通信装置（ＨＡ）を提供する。【解決手段】第１、３、５ＨＡは、それぞれ、第１、２、３ホストに接続された第１、３、５接続インタフェース（ＩＦ）と、第１ハブに接続された第１、３、５通信ＩＦと、第２、４、６診断ＩＦに接続された第１、３、５診断ＩＦと、第１、３、５診断手段とを備え、第２、４、６ＨＡは、第１、２、３ホストに接続された第２、４、６接続ＩＦと、第２ハブに接続された第２、４、６通信ＩＦと、第１、３、５診断ＩＦに接続された第２、４、６診断ＩＦと、第２、４、６診断手段とを備え、第１診断手段は、第１通信ＩＦを通した、第２及び第３ホストとの疎通診断の結果、並びに第１診断ＩＦを通した、第２ＨＡによる、第３、５ＨＡを指示先とし、第１−３のホストを診断対象とする疎通診断指示の結果に基づいて、障害発生位置を限定する。【選択図】      図１
2014183449.tif 000002
【特許請求の範囲】
【請求項１】
第１のホスト（３１０）に接続された第１の接続インタフェース（１１４）と、
第１の集線装置（２１０）に接続された第１の通信インタフェース（１１２）と、
他の通信装置（１２０）に接続された第１の診断インタフェース（１１６）と、
第１の診断手段（１１８）とを備え、第１のグループに属する第１の通信装置（１１０）と、
前記第１のホストに接続された第２の接続インタフェース（１２４）と、
第２の集線装置（２２０）に接続された第２の通信インタフェース（１２２）と、
前記第１の診断インタフェースに接続された第２の診断インタフェース（１２６）と、
第２の診断手段（１２８）とを備え、第２のグループに属する第２の通信装置（１２０）と、
第２のホスト（３３０）に接続された第３の接続インタフェース（１３４）と、
前記第１の集線装置に接続された第３の通信インタフェース（１３２）と、
他の通信装置（１４０）に接続された第３の診断インタフェース（１３６）と、
第３の診断手段（１３８）とを備え、第１のグループに属する第３の通信装置（１３０）と、
前記第２のホストに接続された第４の接続インタフェース（１４４）と、
前記第２の集線装置に接続された第４の通信インタフェース（１４２）と、
前記第３の診断インタフェースに接続された第４の診断インタフェース（１４６）と、
第４の診断手段（１４８）とを備え、第２のグループに属する第４の通信装置（１４０）と、
第３のホスト（３５０）に接続された第５の接続インタフェース（１５４）と、
前記第１の集線装置に接続された第５の通信インタフェース（１５２）と、
他の通信装置（１６０）に接続された第５の診断インタフェース（１５６）と、
第５の診断手段（１５８）とを備え、第１のグループに属する第５の通信装置（１５０）と、
前記第３のホストに接続された第６の接続インタフェース（１６４）と、
前記第２の集線装置に接続された第６の通信インタフェース（１６２）と、
前記第５の診断インタフェースに接続された第６の診断インタフェース（１６６）と、
第６の診断手段（１６８）とを備え、第２のグループに属する第６の通信装置（１６０）とを備え、
前記第１の診断手段は、前記第１の通信インタフェースを通した、前記第２のホストとの疎通及び前記第３のホストとの疎通の診断の結果、並びに前記第１の診断インタフェースを通した、前記第２の通信装置による、前記第１のグループを指示先とする第１のグループ指定診断の第１の結果に基づいて、障害発生位置を限定する
通信システム。
【請求項２】
前記第２の診断手段は、前記第１のグループ指定診断を指示されると、前記第４、前記第６の通信装置に、それぞれ、前記第３の通信装置を指示先に、前記第１又は前記第２又は前記第３のホストを診断対象に指定した第１の個別診断、前記第５の通信装置を指示先に、前記第１又は前記第２又は前記第３のホストを診断対象に指定した第２の個別診断を指示し、
前記第４の診断手段は、前記第１の個別診断を指示されると、前記第３の通信装置に、前記第１の個別診断の指示と同じ指示先及び診断対象を有する第３の個別診断を指示し、
前記第６の診断手段は、前記第２の個別診断を指示されると、前記第５の通信装置に、前記第２の個別診断の指示と同じ指示先及び診断対象を有する第４の個別診断を指示し、
前記第３の診断手段は、前記第３の個別診断を指示されると、前記第３の個別診断で指定された診断対象との疎通を診断し、
前記第５の診断手段は、前記第４の個別診断を指示されると、前記第４の個別診断で指定された診断対象との疎通を診断する
請求項１に記載の通信システム。
【請求項３】
前記第２の診断手段は（１２８）、前記第１のホスト（３１０）を前記第１及び前記第２の個別診断の診断対象から除き、
前記第２の診断手段（１２８）は、前記第３の通信装置（１３０）を指示先に指定した前記第３のホスト（３５０）を診断対象に含む前記第１の個別診断を指示済みならば、前記第２のホスト（３３０）を前記第５の通信装置（１５０）を指示先に指定した前記第２の個別診断の診断対象から除く
請求項２に記載の通信システム。
【請求項４】
前記第１の診断手段（１１８）は、障害発生位置を限定する前に、更に、前記第１の診断インタフェース（１１６）を通した、前記第２の通信装置（１２０）による、前記第２のグループを指示先とする第２のグループ指定診断の第２の結果に基づいて、障害発生位置を限定し、前記第１の結果及び前記第２の結果に基いて、障害発生位置を限定し、
前記第２の診断手段（１２８）は、前記第２のグループ指定診断を指示されると、更に、前記第２のホスト（３３０）との疎通及び前記第３のホスト（３５０）との疎通の診断の結果、並びに前記第２の通信インタフェース（１２２）を通した、前記第４、前記第６の通信装置（１４０、１６０）に、それぞれ、前記第４通信装置を指示先に、前記第１又は前記第２又は前記第３のホストを診断対象に指定した第５の個別診断、前記第６の通信装置を指示先に、前記第１又は前記第２又は前記第３のホストを診断対象に指定した第６の個別診断を指示し、
前記第４の診断手段（１４８）は、前記第５の個別診断を指示されると、更に、前記第５の個別診断で指定された診断対象との疎通を診断し、
前記第６の診断手段（１６８）は、前記第６の個別診断を指示されると、更に、前記第６の個別診断で指定された診断対象との疎通を診断する
請求項１乃至３のいずれか１項に記載の通信システム。
【請求項５】
前記第２の診断手段は（１２８）、前記第２のグループ指定診断を指示された際に、前記第１のホスト（３１０）を前記第５及び前記第６の個別診断の診断対象から除き、
前記第２の診断手段（１２８）は、前記第４の通信装置（１４０）を指示先に指定した前記第３のホスト（３５０）を診断対象に含む前記第５の個別診断を指示済みならば、前記第２のホスト（３３０）を前記第６の通信装置（１６０）を指示先に指定した前記第６の個別診断の診断対象から除く
請求項４に記載の通信システム。
【請求項６】
前記第１の診断手段は、前記第２又は前記第３のホストと疎通しない場合にのみ、動作を開始させられる
請求項１乃至３のいずれか１項に記載の通信システム。
【請求項７】
第１のホストに接続された第１の接続インタフェースと、
第１の集線装置に接続された第１の通信インタフェースと、
他の通信装置に接続された第１の診断インタフェースと、
第１の診断手段とを備え、第１のグループに属する第１の通信装置と、
前記第１のホストに接続された第２の接続インタフェースと、
第２の集線装置に接続された第２の通信インタフェースと、
前記第１の診断インタフェースに接続された第２の診断インタフェースと、
第２の診断手段とを備え、第２のグループに属する第２の通信装置と、
第２のホストに接続された第３の接続インタフェースと、
前記第１の集線装置に接続された第３の通信インタフェースと、
他の通信手段に接続された第３の診断インタフェースと、
第３の診断手段とを備え、第１のグループに属する第３の通信装置と、
前記第２のホストに接続された第４の接続インタフェースと、
前記第２の集線装置に接続された第４の通信インタフェースと、
前記第３の診断インタフェースに接続された第４の診断インタフェースと、
第４の診断手段とを備え、第２のグループに属する第４の通信装置と、
第３のホストに接続された第５の接続インタフェースと、
前記第１の集線装置に接続された第５の通信インタフェースと、
他の通信装置に接続された第５の診断インタフェースと、
第５の診断手段とを備え、第１のグループに属する第５の通信装置と、
前記第３のホストに接続された第６の接続インタフェースと、
前記第２の集線装置に接続された第６の通信インタフェースと、
前記第５の診断インタフェースに接続された第６の診断インタフェースと、
第６の診断手段とを備え、第２のグループに属する第６の通信装置とを備える、通信システムにおいて、
前記第１の診断手段により、前記第１の通信インタフェースを通した、前記第２のホストとの疎通及び前記第３のホストとの疎通の診断の結果、並びに前記第１の診断インタフェースを通した、前記第２の通信装置による、前記第１のグループを指示先とする第１のグループ指定診断の第１の結果に基づいて、障害発生位置を限定し、  前記第２の診断手段により、前記第１のグループ指定診断を指示されると、前記第４、前記第６の通信装置に、それぞれ、前記第３の通信装置を指示先に、前記第１又は前記第２又は前記第３のホストを診断対象に指定した第１の個別診断、前記第５の通信装置を指示先に、前記第１又は前記第２又は前記第３のホストを診断対象に指定した第２の個別診断を指示し、
前記第４の診断手段により、前記第１の個別診断を指示されると、前記第３の通信装置に、前記第１の個別診断の指示と同じ指示先及び診断対象を有する第３の個別診断を指示し、
前記第６の診断手段により、前記第２の個別診断を指示されると、前記第５の通信装置に、前記第２の個別診断の指示と同じ指示先及び診断対象を有する第４の個別診断を指示し、
前記第３の診断手段により、前記第３の個別診断を指示されると、前記第３の個別診断で指定された診断対象との疎通を診断し、
前記第５の診断手段により、前記第４の個別診断を指示されると、前記第４の個別診断で指定された診断対象との疎通を診断する
通信方法。
【請求項８】
第１のホストに接続された第１の接続インタフェースと、
第１の集線装置に接続された第１の通信インタフェースと、
他の通信装置に接続された第１の診断インタフェースと、
第１の診断手段とを備え、第１のグループに属する第１の通信装置と、
前記第１のホストに接続された第２の接続インタフェースと、
第２の集線装置に接続された第２の通信インタフェースと、
前記第１の診断インタフェースに接続された第２の診断インタフェースと、
第２の診断手段とを備え、第２のグループに属する第２の通信装置と、
第２のホストに接続された第３の接続インタフェースと、
前記第１の集線装置に接続された第３の通信インタフェースと、
他の通信手段に接続された第３の診断インタフェースと、
第３の診断手段とを備え、第１のグループに属する第３の通信装置と、
前記第２のホストに接続された第４の接続インタフェースと、
前記第２の集線装置に接続された第４の通信インタフェースと、
前記第３の診断インタフェースに接続された前記第４の診断インタフェースと、
第４の診断手段とを備え、第２のグループに属する第４の通信装置と、
第３のホストに接続された第５の接続インタフェースと、
前記第１の集線装置に接続された第５の通信インタフェースと、
他の通信装置に接続された第５の診断インタフェースと、
第５の診断手段とを備え、第１のグループに属する第５の通信装置と、
前記第３のホストに接続された第６の接続インタフェースと、
前記第２の集線装置に接続された第６の通信インタフェースと、
前記第５の診断インタフェースに接続された第６の診断インタフェースと、
第６の診断手段とを備え、第２のグループに属する第６の通信装置とを備える通信システムにおける、前記第1の通信装置が備えるコンピュータを、
前記第１の通信インタフェースを通した、前記第２のホストとの疎通及び前記第３のホストとの疎通の診断の結果、並びに前記第１の診断インタフェースを通した、前記第２の通信装置による、前記第１のグループを指示先とする第１のグループ指定診断の第１の結果に基づいて、障害発生位置を限定する前記第１の診断手段
として機能させるための通信プログラム。
【請求項９】
第１のホストに接続された第１の接続インタフェースと、
第１の集線装置に接続された第１の通信インタフェースと、
他の通信装置に接続された第１の診断インタフェースと、
第１の診断手段とを備え、第１のグループに属する第１の通信装置と、
前記第１のホストに接続された第２の接続インタフェースと、
第２の集線装置に接続された第２の通信インタフェースと、
前記第１の診断インタフェースに接続された第２の診断インタフェースと、
第２の診断手段とを備え、第２のグループに属する第２の通信装置と、
第２のホストに接続された第３の接続インタフェースと、
前記第１の集線装置に接続された第３の通信インタフェースと、
他の通信手段に接続された第３の診断インタフェースと、
第３の診断手段とを備え、第１のグループに属する第３の通信装置と、
前記第２のホストに接続された第４の接続インタフェースと、
前記第２の集線装置に接続された第４の通信インタフェースと、
前記第３の診断インタフェースに接続された前記第４の診断インタフェースと、
第４の診断手段とを備え、第２のグループに属する第４の通信装置と、
第３のホストに接続された第５の接続インタフェースと、
前記第１の集線装置に接続された第５の通信インタフェースと、
他の通信装置に接続された第５の診断インタフェースと、
第５の診断手段とを備え、第１のグループに属する第５の通信装置と、
前記第３のホストに接続された第６の接続インタフェースと、
前記第２の集線装置に接続された第６の通信インタフェースと、
前記第５の診断インタフェースに接続された第６の診断インタフェースと、
第６の診断手段とを備え、第２のグループに属する第６の通信装置とを備える通信システムにおける、前記第1の通信装置であって、
前記第１の通信インタフェースを通した、前記第２のホストとの疎通及び前記第３のホストとの疎通の診断の結果、並びに前記第１の診断インタフェースを通した、前記第２の通信装置による、前記第１のグループを指示先とする第１のグループ指定診断の第１の結果に基づいて、障害発生位置を限定する前記第１の診断手段
を備える通信装置。
【請求項１０】
第１のホストに接続された第１の接続インタフェースと、
第１の集線装置に接続された第１の通信インタフェースと、
他の通信装置に接続された第１の診断インタフェースと、
第１の診断手段とを備え、第１のグループに属する第１の通信装置と、
前記第１のホストに接続された第２の接続インタフェースと、
第２の集線装置に接続された第２の通信インタフェースと、
前記第１の診断インタフェースに接続された第２の診断インタフェースと、
第２の診断手段とを備え、第２のグループに属する第２の通信装置と、
第２のホストに接続された第３の接続インタフェースと、
前記第１の集線装置に接続された第３の通信インタフェースと、
他の通信手段に接続された第３の診断インタフェースと、
第３の診断手段とを備え、第１のグループに属する第３の通信装置と、
前記第２のホストに接続された第４の接続インタフェースと、
前記第２の集線装置に接続された第４の通信インタフェースと、
前記第３の診断インタフェースに接続された前記第４の診断インタフェースと、
第４の診断手段とを備え、第２のグループに属する第４の通信装置と、
第３のホストに接続された第５の接続インタフェースと、
前記第１の集線装置に接続された第５の通信インタフェースと、
他の通信装置に接続された第５の診断インタフェースと、
第５の診断手段とを備え、第１のグループに属する第５の通信装置と、
前記第３のホストに接続された第６の接続インタフェースと、
前記第２の集線装置に接続された第６の通信インタフェースと、
前記第５の診断インタフェースに接続された第６の診断インタフェースと、
第６の診断手段とを備え、第２のグループに属する第６の通信装置とを備える通信システムにおける、前記第２の通信装置であって、
前記第１のグループ指定診断を指示されると、前記第４、前記第６の通信装置に、それぞれ、前記第３の通信装置を指示先に、前記第１又は前記第２又は前記第３のホストを診断対象に指定した第１の個別診断、前記第５の通信装置を指示先に、前記第１又は前記第２又は前記第３のホストを診断対象に指定した第２の個別診断を指示する、前記第２の診断手段
を備える通信装置。
【発明の詳細な説明】
【技術分野】
【０００１】
本発明は、二重化された集線装置に接続された一群のホストにおいて、障害が発生した箇所を限定することができる、ホスト間通信システム、ホスト間通信方法、及び、ホスト間通信プログラムに関する。
【背景技術】
【０００２】
複数のノードで結ばれた通信ネットワークにおいて、障害が発生した箇所を限定する方法として、隣接するノード間で信号の受け渡しを行い、隣接ノードからの信号を確認することにより障害を検知する方法が知られていた。つまり、この方法によれば、隣接ノードから送信された信号を正常に受信できない場合に、障害発生箇所は隣接ノード又は隣接ノードとの間の通信回線に限定される。
【０００３】
尚、以下では、障害が発生した範囲を障害が発生した箇所のみに絞り込むことを、障害が発生した箇所を「特定する」といい、障害が発生した範囲を障害が発生していない箇所を含めて絞り込むことを、障害が発生した箇所を「限定する」という。
【０００４】
しかし、上記方法により障害の発生を検知する場合、通信ネットワークを構成するすべてのノードについて、疎通状態を確認する必要があるため、疎通確認信号による通信ネットワークに対する負荷が大きいという問題点がある。
【０００５】
又、上記方法においては、各ノードが疎通確認信号の送受信を行う必要があるため、中継ノード（ルータ等）を含む各ノードに、特別な機能や高い処理性能が要求されるという問題点がある。
【０００６】
上記のような問題に対応する各種の技術がある。例えば、通信ネットワークにおける障害発生箇所を限定することができる、ネットワーク故障検出装置が、特許文献１に開示されている。
【０００７】
特許文献１のネットワーク故障検出装置は、疎通判定手段と、経路情報保持手段と、故障箇所特定手段とを有する。ネットワーク故障検出装置は、複数の端末及び中継ノードを含む通信ネットワークに接続される。
【０００８】
特許文献１の疎通判定手段は、各端末間でパケットの送受信が可能か否かの判定を行う。
【０００９】
特許文献１の経路情報保持手段は、隣接する２つの中継ノードで特定されるリンクを繋ぎ合わせて、各端末間の経路情報を生成して、保持する。経路情報保持手段は、疎通判定手段から、疎通判定手段が疎通判定する際に得た２つの中継ノードで特定されるリンクの情報を得る。又は、経路情報保持手段は、ＯＳＰＦ（Open Shortest Path First）において通信ネットワークのリンク状態の情報を保持するデータベースであるＬＳＤＢ（Link State Database）からリンクの情報を取得する。
【００１０】
特許文献１の故障箇所特定手段は、すべての端末の組合せについて、疎通判定手段による判定の結果を、各判定結果に対応する端末間の経路情報を構成するリンクに付与した場合、リンク毎の疎通判定の結果に基づいて、障害が発生したリンクを特定する。このとき、故障箇所特定手段は、付与された疎通判定の結果のすべてが否となるリンクにおいて、通信障害が発生したと判定する。
【００１１】
特許文献１のネットワーク故障検出装置は、中継ノードに特別な機能が不要であり、通信ネットワークにおける障害の発生を検知すると共に、障害発生箇所を限定することができる。
【先行技術文献】
【特許文献】
【００１２】
【特許文献１】特開２０１１−４９８３５号公報（第４−７ページ、図２−４）
【発明の概要】
【発明が解決しようとする課題】
【００１３】
特許文献１のネットワーク故障検出装置は、二重化された集線装置に接続された一群の端末を含む通信ネットワークにそのままでは適用できないという問題がある。その理由は、特許文献１のネットワーク故障検出装置が、二重化された集線装置に接続された一群の端末を含む通信ネットワークに適用されると、端末から送信されたパケットを転送する１つのリンクが定まらないからである。
（発明の目的）
本発明の目的は、二重化された集線装置に接続された一群のホストにおいて、障害が発生した箇所を限定することができる、ホスト間通信システム、ホスト間通信方法、及び、ホスト間通信プログラムを提供することにある。
【課題を解決するための手段】
【００１４】
本発明のホスト間システムは、第１のホストに接続された第１の接続インタフェースと、第１の集線装置に接続された第１の通信インタフェースと、他の通信装置に接続された第１の診断インタフェースと、第１の診断手段とを備え、第１のグループに属する第１の通信装置と、第１のホストに接続された第２の接続インタフェースと、第２の集線装置に接続された第２の通信インタフェースと、第１の診断インタフェースに接続された第２の診断インタフェースと、第２の診断手段とを備え、第２のグループに属する第２の通信装置と、第２のホストに接続された第３の接続インタフェースと、第１の集線装置に接続された第３の通信インタフェースと、他の通信装置に接続された第３の診断インタフェースと、第３の診断手段とを備え、第１のグループに属する第３の通信装置と、第２のホストに接続された第４の接続インタフェースと、第２の集線装置に接続された第４の通信インタフェースと、第３の診断インタフェースに接続された第４の診断インタフェースと、第４の診断手段とを備え、第２のグループに属する第４の通信装置と、第３のホストに接続された第５の接続インタフェースと、第１の集線装置に接続された第５の通信インタフェースと、他の通信装置に接続された第５の診断インタフェースと、第５の診断手段とを備え、第１のグループに属する第５の通信装置と、第３のホストに接続された第６の接続インタフェースと、第２の集線装置に接続された第６の通信インタフェースと、第５の診断インタフェースに接続された第６の診断インタフェースと、第６の診断手段とを備え、第２のグループに属する第６の通信装置とを備え、第１の診断手段は、第１の通信インタフェースを通した、第２のホストとの疎通及び第３のホストとの疎通の診断の結果、並びに第１の診断インタフェースを通した、第２の通信装置による、第１のグループを指示先とする第１のグループ指定診断の第１の結果に基づいて、障害発生位置を限定することを特徴とする。
【００１５】
本発明のホスト間通信方法は、第１のホストに接続された第１の接続インタフェースと、第１の集線装置に接続された第１の通信インタフェースと、他の通信装置に接続された第１の診断インタフェースと、第１の診断手段とを備え、第１のグループに属する第１の通信装置と、第１のホストに接続された第２の接続インタフェースと、第２の集線装置に接続された第２の通信インタフェースと、第１の診断インタフェースに接続された第２の診断インタフェースと、第２の診断手段とを備え、第２のグループに属する第２の通信装置と、第２のホストに接続された第３の接続インタフェースと、第１の集線装置に接続された第３の通信インタフェースと、他の通信手段に接続された第３の診断インタフェースと、第３の診断手段とを備え、第１のグループに属する第３の通信装置と、第２のホストに接続された第４の接続インタフェースと、第２の集線装置に接続された第４の通信インタフェースと、第３の診断インタフェースに接続された第４の診断インタフェースと、第４の診断手段とを備え、第２のグループに属する第４の通信装置と、第３のホストに接続された第５の接続インタフェースと、第１の集線装置に接続された第５の通信インタフェースと、他の通信装置に接続された第５の診断インタフェースと、第５の診断手段とを備え、第１のグループに属する第５の通信装置と、第３のホストに接続された第６の接続インタフェースと、第２の集線装置に接続された第６の通信インタフェースと、第５の診断インタフェースに接続された第６の診断インタフェースと、第６の診断手段とを備え、第２のグループに属する第６の通信装置とを備える、通信システムにおいて、第１の診断手段により、第１の通信インタフェースを通した、第２のホストとの疎通及び第３のホストとの疎通の診断の結果、並びに第１の診断インタフェースを通した、第２の通信装置による、第１のグループを指示先とする第１のグループ指定診断の第１の結果に基づいて、障害発生位置を限定し、第２の診断手段により、第１のグループ指定診断を指示されると、第４、第６の通信装置に、それぞれ、第３の通信装置を指示先に、第１又は第２又は第３のホストを診断対象に指定した第１の個別診断、第５の通信装置を指示先に、第１又は第２又は第３のホストを診断対象に指定した第２の個別診断を指示し、第４の診断手段により、第１の個別診断を指示されると、第３の通信装置に、第１の個別診断の指示と同じ指示先及び診断対象を有する第３の個別診断を指示し、第６の診断手段により、第２の個別診断を指示されると、第５の通信装置に、第２の個別診断の指示と同じ指示先及び診断対象を有する第４の個別診断を指示し、第３の診断手段により、第３の個別診断を指示されると、第３の個別診断で指定された診断対象との疎通を診断し、第５の診断手段により、第４の個別診断を指示されると、第４の個別診断で指定された診断対象との疎通を診断することを特徴とする。
【００１６】
本発明のホスト間通信プログラムは、第１のホストに接続された第１の接続インタフェースと、第１の集線装置に接続された第１の通信インタフェースと、他の通信装置に接続された第１の診断インタフェースと、第１の診断手段とを備え、第１のグループに属する第１の通信装置と、第１のホストに接続された第２の接続インタフェースと、第２の集線装置に接続された第２の通信インタフェースと、第１の診断インタフェースに接続された第２の診断インタフェースと、第２の診断手段とを備え、第２のグループに属する第２の通信装置と、第２のホストに接続された第３の接続インタフェースと、第１の集線装置に接続された第３の通信インタフェースと、他の通信手段に接続された第３の診断インタフェースと、第３の診断手段とを備え、第１のグループに属する第３の通信装置と、第２のホストに接続された第４の接続インタフェースと、第２の集線装置に接続された第４の通信インタフェースと、第３の診断インタフェースに接続された第４の診断インタフェースと、第４の診断手段とを備え、第２のグループに属する第４の通信装置と、第３のホストに接続された第５の接続インタフェースと、第１の集線装置に接続された第５の通信インタフェースと、他の通信装置に接続された第５の診断インタフェースと、第５の診断手段とを備え、第１のグループに属する第５の通信装置と、第３のホストに接続された第６の接続インタフェースと、第２の集線装置に接続された第６の通信インタフェースと、第５の診断インタフェースに接続された第６の診断インタフェースと、第６の診断手段とを備え、第２のグループに属する第６の通信装置とを備える通信システムにおける、第1の通信装置が備えるコンピュータを、第１の通信インタフェースを通した、第２のホストとの疎通及び第３のホストとの疎通の診断の結果、並びに第１の診断インタフェースを通した、第２の通信装置による、第１のグループを指示先とする第１のグループ指定診断の第１の結果に基づいて、障害発生位置を限定する第１の診断手段として機能させることを特徴とする。
【発明の効果】
【００１７】
本発明によれば、二重化された集線装置に接続された一群のホストにおいて、障害が発生した箇所を限定することができるという効果がある。
【図面の簡単な説明】
【００１８】
【図１】本発明の第１の実施形態におけるホスト間通信システムの構成の一例を示すブロック図である。
【図２】本発明の第１の実施形態におけるホスト間通信装置のハードウェア構成の一例を示すブロック図である。
【図３】本発明の第１の実施形態におけるホスト間通信システムの動作を示すシーケンス図である。
【図４】本発明の第１の実施形態におけるホスト間通信システムの動作例を示す図である。
【図５】本発明の第１の実施形態におけるホスト間通信システムの別の動作例を示す図である。
【図６】本発明の第２の実施形態におけるホスト間通信システムの動作を示すシーケンス図の前半部である。
【図７】本発明の第２の実施形態におけるホスト間通信システムの動作を示すシーケンス図の後半部である。
【図８】本発明の第２の実施形態におけるホスト間通信システムの動作例を示す図である。
【発明を実施するための形態】
【００１９】
以下、本発明の実施形態について図面を参照して詳細に説明する。尚、すべての図面において、同等の構成要素には同じ符号を付し、適宜説明を省略する。
（第１の実施形態）
図１は、本実施形態におけるホスト間通信システムの構成の一例を示すブロック図である。
【００２０】
本実施形態では、３台のホスト３１０、３３０、３５０がある場合の例を示す。３台のホスト３１０、３３０、３５０がある場合には、６台のホスト間通信装置１１０、１２０、１３０、１４０、１５０、１６０が必要である。なぜなら、通信路の単独障害時に冗長な経路を利用して通信路の診断を行うために、各ホストは、１つの通信インタフェースを有する２台のホスト間通信装置を経由して他のホストに接続されるからである。
【００２１】
ホスト間通信装置１１０、１２０、１３０、１４０、１５０、１６０は、それぞれ、接続インタフェース１１４、１２４、１３４、１４４、１５４、１６４と、通信インタフェース１１２、１２２、１３２、１４２、１５２、１６２と、診断インタフェース１１６、１２６、１３６、１４６、１５６、１６６と、診断手段１１８、１２８、１３８、１４８、１５８、１６８とを備える。ホスト間通信装置１１０、１２０、１３０、１４０、１５０、１６０は、ＮＩＣやスイッチ、ルータ等であってもよい。
【００２２】
接続インタフェース１１４、１２４は、ホスト３１０に接続される。接続インタフェース１３４、１４４は、ホスト３３０に接続される。接続インタフェース１５４、１６４は、ホスト３５０に接続される。通信インタフェース１１２、１３２、１５２は、集線装置２１０に接続される。通信インタフェース１２２、１４２、１６２は、集線装置２２０に接続される。診断インタフェース１１６は、診断インタフェース１２６に接続される。診断インタフェース１３６は、診断インタフェース１４６に接続される。診断インタフェース１５６は、診断インタフェース１６６に接続される。
【００２３】
ホスト３１０、３３０、３５０は、一般のサーバコンピュータやパーソナルコンピュータ等である。集線装置２１０、２２０は、一般のハブやスイッチ、ルータ等である。
【００２４】
ホスト間通信装置１１０、１２０、１３０、１４０、１５０、１６０は、ＬＡＮケーブル等の通信回線２１１、２２１、２１３、２２３、２１５、２２５を介して集線装置２１０、２２０と接続される。
【００２５】
尚、以下では、集線装置２１０に接続されたホスト間通信装置のグループを「１系」といい、集線装置２２０に接続されたホスト間通信装置のグループを「２系」という。
【００２６】
本実施形態におけるホスト間通信装置１１０、１２０、１３０、１４０、１５０、１６０は、すべて同じ構成を持つ。以下では、ホスト間通信装置１１０を例に、構成を説明する。
【００２７】
ホスト間通信装置１１０の接続インタフェース１１４は、ホスト３１０とデータの入出力を行うためのインタフェースである。接続インタフェース１１４は、ＩＥＥＥ（Institute of Electrical and Electronics Engineers）８０２．３規格等に従うＬＡＮ（Local Area Network）インタフェースや、ＰＣＩバス（Peripheral Components Interconnect Bus）規格等に従うパラレルインタフェース等であってもよい。
【００２８】
ホスト間通信装置１１０の通信インタフェース１１２は、集線装置や他のホスト間通信装置の通信インタフェース等と通信を行うためのインタフェースである。通信インタフェース１１２は、ＩＥＥＥ８０２．３等に従うＬＡＮインタフェース等であってもよい。
【００２９】
ホスト間通信装置１１０の診断インタフェース１１６は、他のホスト間通信装置の診断インタフェースと通信を行うためのインタフェースである。通信インタフェース１１２は、ＩＥＥＥ８０２．３規格等に従うＬＡＮインタフェースや、ＵＳＢ（Universal Serial Bus）、ＲＳ−２３２（Recommended Standard 232）規格等に従うシリアルインタフェース等であってもよい。
【００３０】
診断手段１１８は、通信インタフェース１１２を通して、ホストとの疎通を診断する。「疎通」とは、ネットワークにより接続された装置間で、正しく通信が行われることである。疎通の確認のために、診断手段１１８は、例えば、ＩＣＭＰ（Internet Control Message Protocol）のＥｃｈｏパケット等を利用する。以下、診断手段１１８が実施した疎通診断の結果を単に「診断結果」という。又、診断手段１１８は、診断インタフェース１１６又は通信インタフェース１１２を通して、他のホスト間通信装置にホストとの疎通の診断を指示する。以下、診断手段１１８が他のホスト間通信装置に指示し、他のホスト間通信装置が実施した疎通診断の結果を「診断指示結果」という。診断手段１１８は、診断結果又は診断指示結果に基づいて、障害発生箇所（リンク２１１、２１３、２１５、２２１、２２３、２２５等、又は、集線装置２１０、２２０等）を限定する。
【００３１】
図２は、本実施形態におけるホスト間通信装置のハードウェア構成の一例を示すブロック図である。
【００３２】
ホスト間通信装置９０７は、記憶装置９０２と、ＣＰＵ（Central Processing Unit）９０３と、キーボード９０４と、モニタ９０５と、Ｉ／Ｏ（Input/Output）９０８とを備え、これらが内部バス９０６で接続されている。記憶装置９０２は、診断手段１１８等のＣＰＵ９０３の動作プログラムを格納する。ＣＰＵ９０３は、ホスト間通信装置９０７全体を制御し、記憶装置９０２に格納された動作プログラムを実行し、Ｉ／Ｏ９０８を介して診断手段１１８等のプログラムの実行やデータの送受信を行なう。なお、上記のホスト間通信装置９０７の内部構成は一例である。ホスト間通信装置９０７は、ＣＰＵ９０３のみを備え、外部に備えられた、記憶装置９０２、キーボード９０４、モニタ９０５、及びＩ／Ｏ９０８を用いて動作してもよい。
【００３３】
次に、本実施形態の動作を説明する。以下では、ホスト間通信装置１１０が診断開始指示を受けた場合を例に、動作を説明する。
【００３４】
尚、診断手段１１８は、予め、障害発生元候補の各要素が故障した場合に予想される診断結果を保持する。予想される診断結果は、ホスト間通信装置１１０が疎通診断するか又は診断を指示する、すべての疎通確認元と診断対象との組み合わせについて保持される。例えば、診断手段１１８は、通信回線２１１、２１３、２１５、２２１、２２３、２２５、又は集線装置２１０、２２０のいずれか１つの単独故障のそれぞれに対して、予想される診断結果を保持する。個々の疎通結果の値には、疎通の成功、疎通の失敗、疎通診断の不実施を示す値が含まれる。
【００３５】
図３は、本実施形態におけるホスト間通信システムの動作を示すシーケンス図である。
【００３６】
まず、１系のホスト間通信装置１１０の診断手段１１８は、診断開始の指示を受け取る（ステップＳ４１２）。
【００３７】
次に、１系のホスト間通信装置１１０の診断手段１１８は、診断インタフェース１１６を通して、ホスト間通信装置１２０に、ホスト間通信装置１１０と同じ１系を指示先に指定した系指定診断を指示する（ステップＳ４１３）。
【００３８】
続いて、２系のホスト間通信装置１２０の診断手段１２８は、ホスト間通信装置１１０から１系を指示先に指定された系指定診断の指示を受信すると（ステップＳ４２２）、指示先が２系ではないので、通信インタフェース１２２を通して、ホスト間通信装置１２０が接続されるホスト３１０を除くホスト３３０、３５０に接続された２系のホスト間通信装置１４０、１６０に対して個別に、１系のホスト間通信装置１３０、１５０を指示先に指定して、ホスト３１０、３３０、又は３５０を診断対象に指定して、個別診断を指示する（ステップＳ４２３）。
【００３９】
続いて、２系のホスト間通信装置１４０の診断手段１４８は、ホスト間通信装置１４０以外が指示先に指定された個別診断指示を受信する（ステップＳ４４２）。
【００４０】
続いて、２系のホスト間通信装置１４０の診断手段１４８は、個別診断指示の指示先がホスト間通信装置１４０ではないので、診断インタフェース１４６を通して、１系のホスト間通信装置１３０に対して、個別診断指示を転送する（ステップＳ４４３）。
【００４１】
続いて、１系のホスト間通信装置１３０の診断手段１３８は、ホスト間通信装置１３０が指示先に指定された個別診断指示を受信する（ステップＳ４３２）。
【００４２】
続いて、１系のホスト間通信装置１３０の診断手段１３８は、個別診断を指示されると、指示先がホスト間通信装置１３０なので、通信インタフェース１３２を通して、診断対象であるホスト３１０、３３０、又は３５０との疎通を診断する（ステップＳ４３５）。
【００４３】
続いて、１系のホスト間通信装置１３０の診断手段１３８は、個別診断結果をホスト間通信装置１４０に返信する（ステップＳ４３８）。
【００４４】
続いて、２系のホスト間通信装置１４０の診断手段１４８は、ホスト間通信装置１３０から個別診断の結果を受信する（ステップＳ４４６）。
【００４５】
続いて、２系のホスト間通信装置１４０の診断手段１４８は、個別診断結果をホスト間通信装置１２０に返信する（ステップＳ４４８）。
【００４６】
２系のホスト間通信装置１６０の診断手段１６８は、２系のホスト間通信装置１４０の診断手段１４８と同様に動作する（ステップＳ４４２−Ｓ４４８）。
【００４７】
１系のホスト間通信装置１５０の診断手段１５８は、１系のホスト間通信装置１３０の診断手段１３８と同様に動作する（ステップＳ４３２−Ｓ４３８）。
【００４８】
２系のホスト間通信装置１２０の診断手段１２８は、全ての個別診断指示を送信済みなので、ステップＳ４２６に進む（ステップＳ４２４）。
【００４９】
続いて、２系のホスト間通信装置１２０の診断手段１２８は、ホスト間通信装置１３０、１５０から個別診断の結果を受信する（ステップＳ４２６）。
【００５０】
２系のホスト間通信装置１２０の診断手段１２８は、全ての個別診断結果を受信済みなので、ステップＳ４２８に進む（ステップＳ４２７）。
【００５１】
続いて、２系のホスト間通信装置１２０の診断手段１２８は、全ての個別診断結果をホスト間通信装置１１０に返信する（ステップＳ４２８）。
【００５２】
これまでの間に、１系のホスト間通信装置１１０の診断手段１１８は、通信インタフェース１１２を通して、診断対象のホスト３１０、３３０、３５０等との疎通を診断する（ステップＳ４１５）。
【００５３】
続いて、１系のホスト間通信装置１１０の診断手段１１８は、診断指示の結果を受信する（ステップＳ４１６）。
【００５４】
最後に、１系のホスト間通信装置１１０の診断手段１１８は、診断手段１１８が診断した疎通結果、及び、受信した診断結果を集計する。診断手段１１８は、集計した時診断結果と同じ、予想される診断結果を持つ障害発生元候補の要素を障害が発生した部分として限定する（ステップＳ４１９）。
【００５５】
図４は、本実施形態におけるホスト間通信システムの動作例を示す図である。
【００５６】
図４の各表は、通信回線２１１（ｂ）、２１３（ｃ）、２１５（ｄ）、２２１（ｆ）、２２３（ｇ）、２２５（ｈ）、集線装置２１０（ｊ）、２２０（ｋ）のいずれか１つの単独故障が発生した際の、疎通確認元と診断対象との組み合わせに対して予想される疎通診断結果である。個々の疎通結果の値には、疎通診断の成功（以下、「○」で表す。）、疎通診断の失敗（以下、「×」で表す。）、疎通診断の不実施（以下、「−」で表す。）を示す値が含まれる。
【００５７】
図４の各表の第１列は、疎通確認元であるホスト間通信装置を表す符号である。図４の各表の第１行は、診断対象であるホストを表す符号である。
【００５８】
例えば、図４（ｂ）は、通信回線２１１に単独障害が発生した場合に予想される、ホスト間通信装置１１０によるホスト３３０、３５０の疎通確認結果が「×」、「×」であり、ホスト間通信装置１３０によるホスト３１０、３５０の疎通確認結果が「×」、「○」であり、ホスト間通信装置１５０によるホスト３１０、３３０の疎通確認結果が「×」、「○」であることを示す。本実施例では、ホスト、及びホストとホストに直接接続されるホスト間通信装置との間の接続は故障しないものと仮定する。そのため、ホストとホストに直接接続されるホスト間通信装置との間の疎通は、ホスト間通信装置により故障個所の限定に利用されない（表中の斜線が施された箇所）。
【００５９】
さて、図４の各表によれば、通信回線２１１、２１３、２１５、２２１、２２３、２２５、集線装置２１０、２２０のいずれか１つの単独故障が発生した際の疎通診断結果のパターンは、通信回線２２１又は集線装置２２０の単独故障が発生した際の疎通診断結果を除き、すべて異なる。つまり、多重故障が発生しないと仮定する場合、ホスト間通信装置１１０の診断手段１１６は、診断結果の疎通パターンと、予め保持された予想される疎通パターン（図４の各表）とを比較し、障害発生箇所を一致した予想されるパターンに対応する障害箇所に限定できる。あるいは、ホスト間通信装置１１０の診断手段１１６は、通信回線２２１又は集線装置２２０のいずれの単独故障が区別されない例外を除き、障害発生箇所を特定できる。
【００６０】
図５は、本実施形態におけるホスト間通信システムの別の動作例を示す図である。
【００６１】
本動作例は、いずれかのホストとの疎通診断の失敗を検出したホスト間通信装置が、診断開始指示を受ける（図３のステップＳ４１２）場合の動作である。つまり、本動作例は、ホスト間通信装置１１０に直接接続された通信回線又は集線装置に障害が発生している場合の例である。
【００６２】
さて、図５の各表によれば、通信回線２１１、２１３、２１５、集線装置２１０のいずれか１つの単独故障が発生した際の疎通診断結果のパターンは、すべて異なる。つまり、多重故障が発生しないと仮定する場合、ホスト間通信装置１１０の診断手段１１６は、診断結果の疎通パターンと、予め保持された予想される疎通パターン（図５の各表）を比較し、障害発生箇所を一致した予想されるパターンに対応する障害箇所に限定できる。あるいは、ホスト間通信装置１１０の診断手段１１６は、例外なく、障害発生箇所を特定できる。
【００６３】
以上説明したように、本実施形態におけるホスト間通信装置１１０は、二重化された集線装置に接続された一群のホストにおいて、障害が発生した箇所を限定することができる。その理由は、診断手段１１８は、診断結果のパターンに基づいて、障害が発生した通信回線又は集線装置を限定するからである。
【００６４】
更に、本実施形態におけるホスト間通信装置１１０は、通信回線又は集線装置の多重故障を含む障害が発生した際の疎通診断結果が予め用意されていれば、二重化された集線装置に接続された一群のホストにおいて、多重故障を含む障害が発生した箇所を限定することができる。その理由は、診断手段１１８は、診断結果のパターンに基づいて、障害が発生した通信回線又は集線装置を限定するからである。
【００６５】
更に、本実施形態におけるホスト間通信装置１１０は、二重化された集線装置に接続された一群のホストにおいて、ホストが３台以上ならば、通信回線の単独障害が発生した場合、障害が発生した通信回線を特定することができる。その理由は、単独障害が発生した通信回線に直接接続されたホスト間通信装置１１０を除くホスト間通信装置１３０、１５０が、障害が発生した通信回線に接続されていないホスト３３０、３５０との正常な導通を確認できるからである。
【００６６】
尚、ホストが２台ならば、本実施形態におけるホスト間通信装置１１０は、障害が発生した通信回線を特定することができない。その理由は、以下のとおりである。まず、障害が発生した通信回線２１１に直接接続されたホスト間通信装置１１０が、ホスト３３０との導通の診断を試みたとしても、ホスト３３０との間の通信回線２１１に障害が発生しているので導通しない。逆に、ホスト間通信装置１３０が、ホスト３１０との導通の診断を試みたとしても、ホスト３１０との間の通信回線２１１に障害が発生しているので導通しない。したがって、通信回線２１１又は通信回線２１３のどちらに障害が発生しているかが、特定されない。
【００６７】
更に、本実施形態におけるホスト間通信装置１１０は、ホストが３台以上ならば、二重化された集線装置に接続された一群のホストにおいて、通信回線又は集線装置の単独障害が発生した場合、障害が発生した通信回線又は集線装置を限定することができる。尚、一部の例外を除き、ホスト間通信装置１１０は、障害が発生した通信回線又は集線装置のどちらか一方を特定することができる。特に、ホスト間通信装置１１０と少なくとも１台の他ホストとが疎通しない場合には、ホスト間通信装置１１０は、障害が発生した通信回線又は集線装置のどちらか一方を特定することができる。その理由は、診断手段１１８が診断を実施又は指示するリンクが二重化されているからである。
【００６８】
一方、特許文献１のネットワーク故障検出装置は、付与された疎通判定の結果のすべてが否となるリンクが１つでなければ、通信障害が発生したリンクを特定できない。その理由は、特許文献１のネットワーク故障検出装置は、付与された疎通判定の結果のすべてが否となるリンクにおいて、通信障害が発生したと判定するが、疎通判定の結果のすべてが否となるリンクは１つとは限らないからである。
【００６９】
又、特許文献１のネットワーク故障検出装置は、障害が発生した中継ノードを特定できない。その理由は、特許文献１のネットワーク故障検出装置は、中継ノードを故障検出の対象にしていないからである。
（第２の実施形態）
本発明の第２の実施形態におけるホスト間通信システムの構成は、図１に示した第１の実施形態におけるホスト間通信システムの構成と同じである。
【００７０】
本実施形態の説明においては、第１の実施形態と本実施形態とで共通する説明は省略し、第１の実施形態に対する本実施形態の相違点のみについて説明する。
【００７１】
図６は、本実施形態におけるホスト間通信システムの動作を示すシーケンス図の前半部である。
【００７２】
図７は、本実施形態におけるホスト間通信システムの動作を示すシーケンス図の後半部である。
【００７３】
図６のステップＳ４１２−Ｓ４１６、Ｓ４２２−Ｓ４２８、Ｓ４４２−Ｓ４４８、Ｓ４３２−４３８は、図３と同一である。
【００７４】
本実施形態におけるホスト間通信装置１１５の判定手段１１８は、ステップＳ４１６の後に以下の動作を行う。
【００７５】
まず、１系のホスト間通信装置１１５の診断手段１１８は、診断インタフェース１１６を通して、ホスト間通信装置１２５に、ホスト間通信装置１１５と異なる２系を指示先に指定した系指定診断を指示する（ステップＳ５１３）。
【００７６】
続いて、２系のホスト間通信装置１２５の診断手段１２８は、ホスト間通信装置１１５から２系を指示先に指定された系指定診断の指示を受信すると（ステップＳ５２２）、指示先が２系なので、通信インタフェース１２２を通して、ホスト間通信装置１２５が接続されるホスト３１０を除くホスト３３０、３５０に接続された２系のホスト間通信装置１４５、１６５に対して個別に、２系のホスト間通信装置１４５、１６５を指示先に指定して、ホスト３１０、３３０、又は３５０を診断対象に指定して、個別診断を指示する（ステップＳ５２３）。
【００７７】
続いて、２系のホスト間通信装置１４５の診断手段１４８は、ホスト間通信装置１４５が指示先に指定された個別診断指示を受信する（ステップＳ５３２）。
【００７８】
続いて、２系のホスト間通信装置１４５の診断手段１４８は、個別診断を指示されると、指示先がホスト間通信装置１４５なので、通信インタフェース１３２を通して、診断対象であるホスト３１０、３３０、又は３５０との疎通を診断する（ステップＳ５３５）。
【００７９】
続いて、２系のホスト間通信装置１４５の診断手段１４８は、個別診断結果をホスト間通信装置１２５に返信する（ステップＳ５４８）。
【００８０】
２系のホスト間通信装置１６５の診断手段１６８は、２系のホスト間通信装置１４５の診断手段１４８と同様に動作する（ステップＳ５３２−Ｓ５４８）。
【００８１】
２系のホスト間通信装置１２５の診断手段１２８は、全ての個別診断指示を送信済みなので、ステップＳ５２５に進む（ステップＳ５２４）。
【００８２】
これまでの間に、２系のホスト間通信装置１２５の診断手段１２８は、通信インタフェース１２２を通して、診断対象のホスト３１０、３３０、３５０等との疎通を診断する（ステップＳ５２５）。
【００８３】
続いて、２系のホスト間通信装置１２５の診断手段１２８は、ホスト間通信装置１４５、１６５から個別診断の結果を受信する（ステップＳ５２６）。
【００８４】
２系のホスト間通信装置１２５の診断手段１２８は、全ての個別診断結果を受信済みなので、ステップＳ５２８に進む（ステップＳ５２７）。
【００８５】
続いて、２系のホスト間通信装置１２５の診断手段１２８は、全ての個別診断結果をホスト間通信装置１１５に返信する（ステップＳ５２８）。
【００８６】
続いて、１系のホスト間通信装置１１５の診断手段１１８は、診断指示の結果を受信する（ステップＳ５１６）。
【００８７】
最後に、１系のホスト間通信装置１１５の診断手段１１８は、診断手段１１８が診断した疎通結果、及び、受信した診断結果を集計する。診断手段１１８は、集計した時診断結果と同じ、予想される診断結果を持つ障害発生元候補の要素を障害が発生した部分として限定する（ステップＳ５１９）。
【００８８】
図８は、本実施形態におけるホスト間通信システムの動作例を示す図である。
【００８９】
図８の各表の第１列は、疎通確認元であるホスト間通信装置を表す符号である。第１の実施形態における１系のホスト間通信装置１１５、１３５、１５５に、更に、０系のホスト間通信装置１２５、１４５、１６５が追加されている。
【００９０】
さて、図８の各表によれば、通信回線２１１、２１３、２１５、２２１、２２３、２２５、集線装置２１０、２２０のいずれか１つの単独故障が発生した際の疎通診断結果のパターンは、すべて異なる。つまり、多重故障が発生しないと仮定する場合、ホスト間通信装置１１５の診断手段１１６は、診断結果の疎通パターンと、予め保持された予想される疎通パターン（図８の各表）を比較し、障害発生箇所を一致した予想されるパターンの障害箇所に限定できる。あるいは、ホスト間通信装置１１５の診断手段１１６は、例外なく、障害発生箇所を特定できる。
【００９１】
以上説明したように、本実施形態におけるホスト間通信装置１１５は、第１の実施形態におけるホスト間通信装置の効果に加えて、二重化された集線装置に接続された一群のホストにおいて、通信回線又は集線装置の単独障害が発生した場合、例外なく、障害が発生した通信回線又は集線装置を特定することができる効果を有する。その理由は、診断手段１１８が診断を実施及び指示するリンクが二重化されているからである。
【００９２】
なお、図３、６−７の各処理は、ソフトウェアによって実行されてもよい。すなわち、各処理を行うためのコンピュータプログラムが、通信装置が備えるＣＰＵ（図２：９０３）によって読み込まれ、実行されてもよい。プログラムを用いて各処理を行っても、上述の実施形態の処理と同内容の処理を行うことができる。そして、上記のプログラムは、ＲＯＭ（Read Only Memory）、ＲＡＭ（Random Access Memory）、フラッシュメモリ等の半導体記憶装置、光ディスク、磁気ディスク、光磁気ディスク等、非一時的な媒体に格納されてもよい。
【００９３】
あるいは、各処理は、個別の回路等の構成要素によって実行されてもよい。
【００９４】
尚、本願発明は、上述の実施形態に限定されるものではなく、本願発明の要旨を逸脱しない範囲で種々変更、変形して実施することができる。
【００９５】
上記の実施形態の一部または全部は、以下の付記のようにも記載されうるが、以下には限られない。
（付記１）
第１のホスト（３１０）に接続された第１の接続インタフェース（１１４）と、
第１の集線装置（２１０）に接続された第１の通信インタフェース（１１２）と、
他の通信装置（１２０）に接続された第１の診断インタフェース（１１６）と、
第１の診断手段（１１８）とを備え、第１のグループに属する第１の通信装置（１１０）と、
前記第１のホストに接続された第２の接続インタフェース（１２４）と、
第２の集線装置（２２０）に接続された第２の通信インタフェース（１２２）と、
前記第１の診断インタフェースに接続された第２の診断インタフェース（１２６）と、
第２の診断手段（１２８）とを備え、第２のグループに属する第２の通信装置（１２０）と、
第２のホスト（３３０）に接続された第３の接続インタフェース（１３４）と、
前記第１の集線装置に接続された第３の通信インタフェース（１３２）と、
他の通信装置（１４０）に接続された第３の診断インタフェース（１３６）と、
第３の診断手段（１３８）とを備え、第１のグループに属する第３の通信装置（１３０）と、
前記第２のホストに接続された第４の接続インタフェース（１４４）と、
前記第２の集線装置に接続された第４の通信インタフェース（１４２）と、
前記第３の診断インタフェースに接続された第４の診断インタフェース（１４６）と、
第４の診断手段（１４８）とを備え、第２のグループに属する第４の通信装置（１４０）と、
第３のホスト（３５０）に接続された第５の接続インタフェース（１５４）と、
前記第１の集線装置に接続された第５の通信インタフェース（１５２）と、
他の通信装置（１６０）に接続された第５の診断インタフェース（１５６）と、
第５の診断手段（１５８）とを備え、第１のグループに属する第５の通信装置（１５０）と、
前記第３のホストに接続された第６の接続インタフェース（１６４）と、
前記第２の集線装置に接続された第６の通信インタフェース（１６２）と、
前記第５の診断インタフェースに接続された第６の診断インタフェース（１６６）と、
第６の診断手段（１６８）とを備え、第２のグループに属する第６の通信装置（１６０）とを備え、
前記第１の診断手段は、前記第１の通信インタフェースを通した、前記第２のホストとの疎通及び前記第３のホストとの疎通の診断の結果、並びに前記第１の診断インタフェースを通した、前記第２の通信装置による、前記第１のグループを指示先とする第１のグループ指定診断の第１の結果に基づいて、障害発生位置を限定する
通信システム。
（付記２）
前記第２の診断手段は、前記第１のグループ指定診断を指示されると、前記第４、前記第６の通信装置に、それぞれ、前記第３の通信装置を指示先に、前記第１又は前記第２又は前記第３のホストを診断対象に指定した第１の個別診断、前記第５の通信装置を指示先に、前記第１又は前記第２又は前記第３のホストを診断対象に指定した第２の個別診断を指示し、
前記第４の診断手段は、前記第１の個別診断を指示されると、前記第３の通信装置に、前記第１の個別診断の指示と同じ指示先及び診断対象を有する第３の個別診断を指示し、
前記第６の診断手段は、前記第２の個別診断を指示されると、前記第５の通信装置に、前記第２の個別診断の指示と同じ指示先及び診断対象を有する第４の個別診断を指示し、
前記第３の診断手段は、前記第３の個別診断を指示されると、前記第３の個別診断で指定された診断対象との疎通を診断し、
前記第５の診断手段は、前記第４の個別診断を指示されると、前記第４の個別診断で指定された診断対象との疎通を診断する
付記１に記載の通信システム。
（付記３）
前記第２の診断手段は（１２８）、前記第１のホスト（３１０）を前記第１及び前記第２の個別診断の診断対象から除き、
前記第２の診断手段（１２８）は、前記第３の通信装置（１３０）を指示先に指定した前記第３のホスト（３５０）を診断対象に含む前記第１の個別診断を指示済みならば、前記第２のホスト（３３０）を前記第５の通信装置（１５０）を指示先に指定した前記第２の個別診断の診断対象から除く
付記２に記載の通信システム。
（付記４）
前記第１の診断手段（１１８）は、障害発生位置を限定する前に、更に、前記第１の診断インタフェース（１１６）を通した、前記第２の通信装置（１２０）による、前記第２のグループを指示先とする第２のグループ指定診断の第２の結果に基づいて、障害発生位置を限定し、前記第１の結果及び前記第２の結果に基いて、障害発生位置を限定し、
前記第２の診断手段（１２８）は、前記第２のグループ指定診断を指示されると、更に、前記第２のホスト（３３０）との疎通及び前記第３のホスト（３５０）との疎通の診断の結果、並びに前記第２の通信インタフェース（１２２）を通した、前記第４、前記第６の通信装置（１４０、１６０）に、それぞれ、前記第４通信装置を指示先に、前記第１又は前記第２又は前記第３のホストを診断対象に指定した第５の個別診断、前記第６の通信装置を指示先に、前記第１又は前記第２又は前記第３のホストを診断対象に指定した第６の個別診断を指示し、
前記第４の診断手段（１４８）は、前記第５の個別診断を指示されると、更に、前記第５の個別診断で指定された診断対象との疎通を診断し、
前記第６の診断手段（１６８）は、前記第６の個別診断を指示されると、更に、前記第６の個別診断で指定された診断対象との疎通を診断する
付記１乃至３のいずれか１項に記載の通信システム。
（付記５）
前記第２の診断手段は（１２８）、前記第２のグループ指定診断を指示された際に、前記第１のホスト（３１０）を前記第５及び前記第６の個別診断の診断対象から除き、
前記第２の診断手段（１２８）は、前記第４の通信装置（１４０）を指示先に指定した前記第３のホスト（３５０）を診断対象に含む前記第５の個別診断を指示済みならば、前記第２のホスト（３３０）を前記第６の通信装置（１６０）を指示先に指定した前記第６の個別診断の診断対象から除く
付記４に記載の通信システム。
（付記６）
前記第１の診断手段は、前記第２又は前記第３のホストと疎通しない場合にのみ、動作を開始させられる
付記１乃至３のいずれか１項に記載の通信システム。
（付記７）
第１のホストに接続された第１の接続インタフェースと、
第１の集線装置に接続された第１の通信インタフェースと、
他の通信装置に接続された第１の診断インタフェースと、
第１の診断手段とを備え、第１のグループに属する第１の通信装置と、
前記第１のホストに接続された第２の接続インタフェースと、
第２の集線装置に接続された第２の通信インタフェースと、
前記第１の診断インタフェースに接続された第２の診断インタフェースと、
第２の診断手段とを備え、第２のグループに属する第２の通信装置と、
第２のホストに接続された第３の接続インタフェースと、
前記第１の集線装置に接続された第３の通信インタフェースと、
他の通信手段に接続された第３の診断インタフェースと、
第３の診断手段とを備え、第１のグループに属する第３の通信装置と、
前記第２のホストに接続された第４の接続インタフェースと、
前記第２の集線装置に接続された第４の通信インタフェースと、
前記第３の診断インタフェースに接続された第４の診断インタフェースと、
第４の診断手段とを備え、第２のグループに属する第４の通信装置と、
第３のホストに接続された第５の接続インタフェースと、
前記第１の集線装置に接続された第５の通信インタフェースと、
他の通信装置に接続された第５の診断インタフェースと、
第５の診断手段とを備え、第１のグループに属する第５の通信装置と、
前記第３のホストに接続された第６の接続インタフェースと、
前記第２の集線装置に接続された第６の通信インタフェースと、
前記第５の診断インタフェースに接続された第６の診断インタフェースと、
第６の診断手段とを備え、第２のグループに属する第６の通信装置とを備える、通信システムにおいて、
前記第１の診断手段により、前記第１の通信インタフェースを通した、前記第２のホストとの疎通及び前記第３のホストとの疎通の診断の結果、並びに前記第１の診断インタフェースを通した、前記第２の通信装置による、前記第１のグループを指示先とする第１のグループ指定診断の第１の結果に基づいて、障害発生位置を限定し、  前記第２の診断手段により、前記第１のグループ指定診断を指示されると、前記第４、前記第６の通信装置に、それぞれ、前記第３の通信装置を指示先に、前記第１又は前記第２又は前記第３のホストを診断対象に指定した第１の個別診断、前記第５の通信装置を指示先に、前記第１又は前記第２又は前記第３のホストを診断対象に指定した第２の個別診断を指示し、
前記第４の診断手段により、前記第１の個別診断を指示されると、前記第３の通信装置に、前記第１の個別診断の指示と同じ指示先及び診断対象を有する第３の個別診断を指示し、
前記第６の診断手段により、前記第２の個別診断を指示されると、前記第５の通信装置に、前記第２の個別診断の指示と同じ指示先及び診断対象を有する第４の個別診断を指示し、
前記第３の診断手段により、前記第３の個別診断を指示されると、前記第３の個別診断で指定された診断対象との疎通を診断し、
前記第５の診断手段により、前記第４の個別診断を指示されると、前記第４の個別診断で指定された診断対象との疎通を診断する
通信方法。
（付記８）
第１のホストに接続された第１の接続インタフェースと、
第１の集線装置に接続された第１の通信インタフェースと、
他の通信装置に接続された第１の診断インタフェースと、
第１の診断手段とを備え、第１のグループに属する第１の通信装置と、
前記第１のホストに接続された第２の接続インタフェースと、
第２の集線装置に接続された第２の通信インタフェースと、
前記第１の診断インタフェースに接続された第２の診断インタフェースと、
第２の診断手段とを備え、第２のグループに属する第２の通信装置と、
第２のホストに接続された第３の接続インタフェースと、
前記第１の集線装置に接続された第３の通信インタフェースと、
他の通信手段に接続された第３の診断インタフェースと、
第３の診断手段とを備え、第１のグループに属する第３の通信装置と、
前記第２のホストに接続された第４の接続インタフェースと、
前記第２の集線装置に接続された第４の通信インタフェースと、
前記第３の診断インタフェースに接続された前記第４の診断インタフェースと、
第４の診断手段とを備え、第２のグループに属する第４の通信装置と、
第３のホストに接続された第５の接続インタフェースと、
前記第１の集線装置に接続された第５の通信インタフェースと、
他の通信装置に接続された第５の診断インタフェースと、
第５の診断手段とを備え、第１のグループに属する第５の通信装置と、
前記第３のホストに接続された第６の接続インタフェースと、
前記第２の集線装置に接続された第６の通信インタフェースと、
前記第５の診断インタフェースに接続された第６の診断インタフェースと、
第６の診断手段とを備え、第２のグループに属する第６の通信装置とを備える通信システムにおける、前記第1の通信装置が備えるコンピュータを、
前記第１の通信インタフェースを通した、前記第２のホストとの疎通及び前記第３のホストとの疎通の診断の結果、並びに前記第１の診断インタフェースを通した、前記第２の通信装置による、前記第１のグループを指示先とする第１のグループ指定診断の第１の結果に基づいて、障害発生位置を限定する前記第１の診断手段
として機能させるための通信プログラム。
（付記９）
第１のホストに接続された第１の接続インタフェースと、
第１の集線装置に接続された第１の通信インタフェースと、
他の通信装置に接続された第１の診断インタフェースと、
第１の診断手段とを備え、第１のグループに属する第１の通信装置と、
前記第１のホストに接続された第２の接続インタフェースと、
第２の集線装置に接続された第２の通信インタフェースと、
前記第１の診断インタフェースに接続された第２の診断インタフェースと、
第２の診断手段とを備え、第２のグループに属する第２の通信装置と、
第２のホストに接続された第３の接続インタフェースと、
前記第１の集線装置に接続された第３の通信インタフェースと、
他の通信手段に接続された第３の診断インタフェースと、
第３の診断手段とを備え、第１のグループに属する第３の通信装置と、
前記第２のホストに接続された第４の接続インタフェースと、
前記第２の集線装置に接続された第４の通信インタフェースと、
前記第３の診断インタフェースに接続された前記第４の診断インタフェースと、
第４の診断手段とを備え、第２のグループに属する第４の通信装置と、
第３のホストに接続された第５の接続インタフェースと、
前記第１の集線装置に接続された第５の通信インタフェースと、
他の通信装置に接続された第５の診断インタフェースと、
第５の診断手段とを備え、第１のグループに属する第５の通信装置と、
前記第３のホストに接続された第６の接続インタフェースと、
前記第２の集線装置に接続された第６の通信インタフェースと、
前記第５の診断インタフェースに接続された第６の診断インタフェースと、
第６の診断手段とを備え、第２のグループに属する第６の通信装置とを備える通信システムにおける、前記第２の通信装置が備えるコンピュータを、
前記第１のグループ指定診断を指示されると、前記第４、前記第６の通信装置に、それぞれ、前記第３の通信装置を指示先に、前記第１又は前記第２又は前記第３のホストを診断対象に指定した第１の個別診断、前記第５の通信装置を指示先に、前記第１又は前記第２又は前記第３のホストを診断対象に指定した第２の個別診断を指示する、前記第２の診断手段
として機能させるための通信プログラム。
（付記１０）
第１のホストに接続された第１の接続インタフェースと、
第１の集線装置に接続された第１の通信インタフェースと、
他の通信装置に接続された第１の診断インタフェースと、
第１の診断手段とを備え、第１のグループに属する第１の通信装置と、
前記第１のホストに接続された第２の接続インタフェースと、
第２の集線装置に接続された第２の通信インタフェースと、
前記第１の診断インタフェースに接続された第２の診断インタフェースと、
第２の診断手段とを備え、第２のグループに属する第２の通信装置と、
第２のホストに接続された第３の接続インタフェースと、
前記第１の集線装置に接続された第３の通信インタフェースと、
他の通信手段に接続された第３の診断インタフェースと、
第３の診断手段とを備え、第１のグループに属する第３の通信装置と、
前記第２のホストに接続された第４の接続インタフェースと、
前記第２の集線装置に接続された第４の通信インタフェースと、
前記第３の診断インタフェースに接続された前記第４の診断インタフェースと、
第４の診断手段とを備え、第２のグループに属する第４の通信装置と、
第３のホストに接続された第５の接続インタフェースと、
前記第１の集線装置に接続された第５の通信インタフェースと、
他の通信装置に接続された第５の診断インタフェースと、
第５の診断手段とを備え、第１のグループに属する第５の通信装置と、
前記第３のホストに接続された第６の接続インタフェースと、
前記第２の集線装置に接続された第６の通信インタフェースと、
前記第５の診断インタフェースに接続された第６の診断インタフェースと、
第６の診断手段とを備え、第２のグループに属する第６の通信装置とを備える通信システムにおける、前記第４の通信装置が備えるコンピュータを、
前記第１の個別診断を指示されると、前記第３の通信装置に、前記第１の個別診断の指示と同じ指示先及び診断対象を有する第３の個別診断を指示する、前記第４の診断手段
として機能させるための通信プログラム。
（付記１１）
第１のホストに接続された第１の接続インタフェースと、
第１の集線装置に接続された第１の通信インタフェースと、
他の通信装置に接続された第１の診断インタフェースと、
第１の診断手段とを備え、第１のグループに属する第１の通信装置と、
前記第１のホストに接続された第２の接続インタフェースと、
第２の集線装置に接続された第２の通信インタフェースと、
前記第１の診断インタフェースに接続された第２の診断インタフェースと、
第２の診断手段とを備え、第２のグループに属する第２の通信装置と、
第２のホストに接続された第３の接続インタフェースと、
前記第１の集線装置に接続された第３の通信インタフェースと、
他の通信手段に接続された第３の診断インタフェースと、
第３の診断手段とを備え、第１のグループに属する第３の通信装置と、
前記第２のホストに接続された第４の接続インタフェースと、
前記第２の集線装置に接続された第４の通信インタフェースと、
前記第３の診断インタフェースに接続された前記第４の診断インタフェースと、
第４の診断手段とを備え、第２のグループに属する第４の通信装置と、
第３のホストに接続された第５の接続インタフェースと、
前記第１の集線装置に接続された第５の通信インタフェースと、
他の通信装置に接続された第５の診断インタフェースと、
第５の診断手段とを備え、第１のグループに属する第５の通信装置と、
前記第３のホストに接続された第６の接続インタフェースと、
前記第２の集線装置に接続された第６の通信インタフェースと、
前記第５の診断インタフェースに接続された第６の診断インタフェースと、
第６の診断手段とを備え、第２のグループに属する第６の通信装置とを備える通信システムにおける、前記第３の通信装置が備えるコンピュータを、
前記第３の個別診断を指示されると、前記第３の個別診断で指定された診断対象との疎通を診断する、前記第３の診断手段
として機能させるための通信プログラム。
（付記１２）
第１のホストに接続された第１の接続インタフェースと、
第１の集線装置に接続された第１の通信インタフェースと、
他の通信装置に接続された第１の診断インタフェースと、
第１の診断手段とを備え、第１のグループに属する第１の通信装置と、
前記第１のホストに接続された第２の接続インタフェースと、
第２の集線装置に接続された第２の通信インタフェースと、
前記第１の診断インタフェースに接続された第２の診断インタフェースと、
第２の診断手段とを備え、第２のグループに属する第２の通信装置と、
第２のホストに接続された第３の接続インタフェースと、
前記第１の集線装置に接続された第３の通信インタフェースと、
他の通信手段に接続された第３の診断インタフェースと、
第３の診断手段とを備え、第１のグループに属する第３の通信装置と、
前記第２のホストに接続された第４の接続インタフェースと、
前記第２の集線装置に接続された第４の通信インタフェースと、
前記第３の診断インタフェースに接続された前記第４の診断インタフェースと、
第４の診断手段とを備え、第２のグループに属する第４の通信装置と、
第３のホストに接続された第５の接続インタフェースと、
前記第１の集線装置に接続された第５の通信インタフェースと、
他の通信装置に接続された第５の診断インタフェースと、
第５の診断手段とを備え、第１のグループに属する第５の通信装置と、
前記第３のホストに接続された第６の接続インタフェースと、
前記第２の集線装置に接続された第６の通信インタフェースと、
前記第５の診断インタフェースに接続された第６の診断インタフェースと、
第６の診断手段とを備え、第２のグループに属する第６の通信装置とを備える通信システムにおける、前記第1の通信装置であって、
前記第１の通信インタフェースを通した、前記第２のホストとの疎通及び前記第３のホストとの疎通の診断の結果、並びに前記第１の診断インタフェースを通した、前記第２の通信装置による、前記第１のグループを指示先とする第１のグループ指定診断の第１の結果に基づいて、障害発生位置を限定する前記第１の診断手段
を備える通信装置。
（付記１３）
第１のホストに接続された第１の接続インタフェースと、
第１の集線装置に接続された第１の通信インタフェースと、
他の通信装置に接続された第１の診断インタフェースと、
第１の診断手段とを備え、第１のグループに属する第１の通信装置と、
前記第１のホストに接続された第２の接続インタフェースと、
第２の集線装置に接続された第２の通信インタフェースと、
前記第１の診断インタフェースに接続された第２の診断インタフェースと、
第２の診断手段とを備え、第２のグループに属する第２の通信装置と、
第２のホストに接続された第３の接続インタフェースと、
前記第１の集線装置に接続された第３の通信インタフェースと、
他の通信手段に接続された第３の診断インタフェースと、
第３の診断手段とを備え、第１のグループに属する第３の通信装置と、
前記第２のホストに接続された第４の接続インタフェースと、
前記第２の集線装置に接続された第４の通信インタフェースと、
前記第３の診断インタフェースに接続された前記第４の診断インタフェースと、
第４の診断手段とを備え、第２のグループに属する第４の通信装置と、
第３のホストに接続された第５の接続インタフェースと、
前記第１の集線装置に接続された第５の通信インタフェースと、
他の通信装置に接続された第５の診断インタフェースと、
第５の診断手段とを備え、第１のグループに属する第５の通信装置と、
前記第３のホストに接続された第６の接続インタフェースと、
前記第２の集線装置に接続された第６の通信インタフェースと、
前記第５の診断インタフェースに接続された第６の診断インタフェースと、
第６の診断手段とを備え、第２のグループに属する第６の通信装置とを備える通信システムにおける、前記第２の通信装置であって、
前記第１のグループ指定診断を指示されると、前記第４、前記第６の通信装置に、それぞれ、前記第３の通信装置を指示先に、前記第１又は前記第２又は前記第３のホストを診断対象に指定した第１の個別診断、前記第５の通信装置を指示先に、前記第１又は前記第２又は前記第３のホストを診断対象に指定した第２の個別診断を指示する、前記第２の診断手段
を備える通信装置。
（付記１４）
第１のホストに接続された第１の接続インタフェースと、
第１の集線装置に接続された第１の通信インタフェースと、
他の通信装置に接続された第１の診断インタフェースと、
第１の診断手段とを備え、第１のグループに属する第１の通信装置と、
前記第１のホストに接続された第２の接続インタフェースと、
第２の集線装置に接続された第２の通信インタフェースと、
前記第１の診断インタフェースに接続された第２の診断インタフェースと、
第２の診断手段とを備え、第２のグループに属する第２の通信装置と、
第２のホストに接続された第３の接続インタフェースと、
前記第１の集線装置に接続された第３の通信インタフェースと、
他の通信手段に接続された第３の診断インタフェースと、
第３の診断手段とを備え、第１のグループに属する第３の通信装置と、
前記第２のホストに接続された第４の接続インタフェースと、
前記第２の集線装置に接続された第４の通信インタフェースと、
前記第３の診断インタフェースに接続された前記第４の診断インタフェースと、
第４の診断手段とを備え、第２のグループに属する第４の通信装置と、
第３のホストに接続された第５の接続インタフェースと、
前記第１の集線装置に接続された第５の通信インタフェースと、
他の通信装置に接続された第５の診断インタフェースと、
第５の診断手段とを備え、第１のグループに属する第５の通信装置と、
前記第３のホストに接続された第６の接続インタフェースと、
前記第２の集線装置に接続された第６の通信インタフェースと、
前記第５の診断インタフェースに接続された第６の診断インタフェースと、
第６の診断手段とを備え、第２のグループに属する第６の通信装置とを備える通信システムにおける、前記第４の通信装置であって、
前記第１の個別診断を指示されると、前記第３の通信装置に、前記第１の個別診断の指示と同じ指示先及び診断対象を有する第３の個別診断を指示する、前記第４の診断手段
を備える通信装置。
（付記１５）
第１のホストに接続された第１の接続インタフェースと、
第１の集線装置に接続された第１の通信インタフェースと、
他の通信装置に接続された第１の診断インタフェースと、
第１の診断手段とを備え、第１のグループに属する第１の通信装置と、
前記第１のホストに接続された第２の接続インタフェースと、
第２の集線装置に接続された第２の通信インタフェースと、
前記第１の診断インタフェースに接続された第２の診断インタフェースと、
第２の診断手段とを備え、第２のグループに属する第２の通信装置と、
第２のホストに接続された第３の接続インタフェースと、
前記第１の集線装置に接続された第３の通信インタフェースと、
他の通信手段に接続された第３の診断インタフェースと、
第３の診断手段とを備え、第１のグループに属する第３の通信装置と、
前記第２のホストに接続された第４の接続インタフェースと、
前記第２の集線装置に接続された第４の通信インタフェースと、
前記第３の診断インタフェースに接続された前記第４の診断インタフェースと、
第４の診断手段とを備え、第２のグループに属する第４の通信装置と、
第３のホストに接続された第５の接続インタフェースと、
前記第１の集線装置に接続された第５の通信インタフェースと、
他の通信装置に接続された第５の診断インタフェースと、
第５の診断手段とを備え、第１のグループに属する第５の通信装置と、
前記第３のホストに接続された第６の接続インタフェースと、
前記第２の集線装置に接続された第６の通信インタフェースと、
前記第５の診断インタフェースに接続された第６の診断インタフェースと、
第６の診断手段とを備え、第２のグループに属する第６の通信装置とを備える通信システムにおける、前記第３の通信装置であって、
前記第３の個別診断を指示されると、前記第３の個別診断で指定された診断対象との疎通を診断する、前記第３の診断手段
を備える通信装置。
【符号の説明】
【００９６】
２１１、２１３、２１５、２２１、２２３、２２５    通信回線
【図１】
2014183449.tif 000003
【図２】
2014183449.tif 000004
【図３】
2014183449.tif 000005
【図４】
2014183449.tif 000006
【図５】
2014183449.tif 000007
【図６】
2014183449.tif 000008
【図７】
2014183449.tif 000009
【図８】
2014183449.tif 000010